(57)【要約】【課題】石材が予め充填されている石詰篭を互いに連結した状態で施設する場合に、底面も含めて側端部同士を簡単且つ強固に連結することができるようにする。【解決手段】金網からなる四角い網篭４の内部に石材５が充填されている篭本体部２と、該篭本体部２の左右両側端部のうちの少なくとも一方の側端部から側方に延出する連結用網部３ａ，３ｂとを有し、該連結用網部３ａ，３ｂは、前記篭本体部２の側端部における底辺１７ａ，１７ｂから延出する底面連結網２０ａ，２０ｂ、前辺１８ａ，１８ｂから延出する前面連結網２１ａ，２１ｂ、後辺１９ａ，１９ｂから延出する後面連結網２２ａ，２２ｂを有する。【選択図】図１
2017008500.tif 000002
【特許請求の範囲】
【請求項１】
隣接するもの同士を相互に連結した状態で施設する石詰篭であって、
金網からなる四角い網篭の内部に石材が充填されている篭本体部と、該篭本体部の左右両側端部のうちの少なくとも一方の側端部から側方に延出する連結用網部とを有し、
前記連結用網部は、前記篭本体部の側端部における上辺、底辺、前辺、後辺のうちの少なくとも３辺から延出する複数の連結網を有し、該複数の連結網は、底辺から延出する底面連結網、前辺から延出する前面連結網、後辺から延出する後面連結網である、
ことを特徴とする石詰篭。
【請求項２】
前記連結用網部が前記篭本体部から延出する延出長は、該篭本体部の左右方向長さである左右長より小さく、また、前記延出長と該左右長との関係は、隣接する石詰篭同士を前記連結用網部を介して連結したとき該連結用網部によって形成される中間網篭の左右方向長さである左右長が、前記篭本体部の左右長より小さくなるような関係であることを特徴とする請求項１に記載の石詰篭。
【請求項３】
前記連結用網部の延出長は、前記石詰篭の左右長の１／２０〜４／２０の範囲内にあることを特徴とする請求項２に記載の石詰篭。
【請求項４】
前記底面連結網は、前記篭本体部の底面網と一体に形成され、前記前面連結網は、前記篭本体部の前面網と一体に形成され、前記後面連結網は、前記篭本体部の後面網と一体に形成されていることを特徴とする請求項１から３の何れかに記載の石詰篭。
【請求項５】
前記篭本体部の底面網、前面網、後面網と、前記連結用網部の底面連結網、前面連結網、後面連結網とは、１つの網材を凹字形に折り曲げることにより全て一体に形成されていることを特徴とする請求項４に記載の石詰篭。
【請求項６】
前記連結用網部の底面連結網、前面連結網、後面連結網は、１つの網材を凹字形に折り曲げることにより一体に形成されると共に、前記篭本体部とは別体に形成されていて、凹字形に折り曲げた状態で前記篭本体部に連結されていることを特徴とする請求項１から３の何れかに記載の石詰篭。
【請求項７】
前記連結用網部の底面連結網は、前記篭本体部の底面網と別体に形成されて前記底辺に連結され、前記前面連結網は、前記篭本体部の前面網と別体に形成されて前記前辺に連結され、前記後面連結網は、前記篭本体部の後面網と別体に形成されて前記後辺に連結されているとを特徴とする請求項１から３の何れかに記載の石詰篭。
【請求項８】
前記連結用網部の底面連結網、前面連結網、後面連結網の延出長は互いに等しいことを特徴とする請求項１から７の何れかに記載の石詰篭。
【請求項９】
前記連結用網部の延出長は、前記前面連結網及び後面連結網の一方側から他方側に向けて次第に小さくなっていることを特徴とする請求項１から７の何れかに記載の石詰篭。
【請求項１０】
内部に石材が充填されている四角い石詰篭を、左右に隣接させて配置する篭配置工程、
左右に隣接する石詰篭同士を、少なくとも一方の石詰篭の側端部における底辺、前辺、後辺から側方に延出する底面連結網、前面連結網、後面連結網を介して相互に連結することにより、隣接する前記石詰篭間に前記底面連結網、前面連結網、後面連結網によって中間網篭を形成する篭連結工程、
前記中間網篭内に石材を充填する石詰工程、
前記中間網篭の上面を蓋網で覆う蓋網取付工程、
を有することを特徴とする石詰篭の施設方法。
【請求項１１】
前記籠配置工程では、前記底面連結網、前面連結網、後面連結網が側端部から延出している前記石詰篭同士を、対応する前記連結網同士を互いに対向させて配置し、
前記籠連結工程では、前記対向する連結網同士を相互に連結することにより前記中間網篭を形成し、
前記蓋網取付工程では、石材が充填された前記中間網篭の上面を、隣接する石詰篭に跨る１つの蓋網で覆う、
ことを特徴とする請求項１０に記載の石詰篭の施設方法。
【発明の詳細な説明】
【技術分野】
【０００１】
本発明は、隣接するもの同士を相互に連結した状態で施設するための石詰篭に関するものであり、更に詳しくは、隣接するもの同士の相互連結が容易な石詰篭とその施設方法とに関するものである。
【背景技術】
【０００２】
例えば特許文献１に開示されているように、海岸、河岸、湖岸等の岸辺に護岸壁を構築したり、傾斜地の法面に補強壁を構築したりする場合に、石詰篭（蛇篭）が使用される。この石詰篭は、菱形金網によって四角い容器形に形成した網篭の内部に石材を充填したもので、近年では、前記網篭の内部に砕石現場等で予め石材を充填することよって前記石詰篭を形成し、この石詰篭を現場に輸送して岸辺や法面に沿って前後、左右に並べたり、上下に段積したりすることにより、前記護岸壁や補強壁等の擁壁が構築される。その際、石詰篭の位置ずれを防止して前記擁壁の強度を高めるため、隣接する石詰篭同士、特に左右に隣接する石詰篭同士は、側端部同士を適宜の方法で互いに連結している。
【０００３】
ところが、前記石詰篭には石材が予め充填されているため、前面、後面、及び上面の側端部同士は互いに連結することができるが、底面の側端部同士は、石材が邪魔になって連結することができない。このため、石詰篭の底面同士が連結されていない分、擁壁の強度が小さいという問題があった。
【０００４】
また、隣接する石詰篭の前面、後面、及び上面の側端部同士は互いに連結することができるといっても、該隣接する石詰篭にはその両方に石材が充填されているため、２つの石詰篭の側端部に、前記連結金具を通すのに十分な隙間が都合良く形成されていない場合もあり、そのような場合には、前記石材を動かして隙間を作りながら作業を進めなければならないため、連結にかなりの手間を要することになる。このような問題は、前記連結金具として、針金を螺旋状に巻いて形成した連結金具（スクリューストッパ）を使用し、この連結金具を、石詰篭の縁に取り付けられた枠線に沿って回転させながら該枠線に巻き付けることにより、隣接する石詰篭の枠線同士を相互に結束する場合に、特に生じ易い。
【先行技術文献】
【特許文献】
【０００５】
【特許文献１】特開平１０−１８２９５号公報
【発明の概要】
【発明が解決しようとする課題】
【０００６】
本発明の技術的課題は、石材が予め充填されている石詰篭を互いに連結した状態で施設する場合に、底面も含めて側端部同士を簡単且つ強固に連結することができるようにすることにある。
【課題を解決するための手段】
【０００７】
前記課題を解決するため、本発明によれば、隣接するもの同士を相互に連結した状態で施設する石詰篭が提供される。この石詰篭は、金網からなる四角い網篭の内部に石材が充填されている篭本体部と、該篭本体部の左右両側端部のうちの少なくとも一方の側端部から側方に延出する連結用網部とを有し、前記連結用網部は、前記篭本体部の側端部における上辺、底辺、前辺、後辺のうちの少なくとも３辺から延出する複数の連結網を有し、該複数の連結網は、底辺から延出する底面連結網、前辺から延出する前面連結網、後辺から延出する後面連結網であることを特徴とする。
【０００８】
本発明において、前記連結用網部が前記篭本体部から延出する延出長は、該篭本体部の左右方向長さである左右長より小さく、また、前記延出長と該左右長との関係は、隣接する石詰篭同士を前記連結用網部を介して連結したとき該連結用網部によって形成される中間網篭の左右方向長さである左右長が、前記篭本体部の左右長より小さくなるような関係であることが望ましく、より望ましくは、前記連結用網部の延出長は、前記石詰篭の左右長の１／２０〜４／２０の範囲内にあることである。
【０００９】
また、本発明において、前記底面連結網は、前記篭本体部の底面網と一体に形成され、前記前面連結網は、前記篭本体部の前面網と一体に形成され、前記後面連結網は、前記篭本体部の後面網と一体に形成されていても良く、前記篭本体部の底面網、前面網、後面網と、前記連結用網部の底面連結網、前面連結網、後面連結網とが、１つの網材を凹字形に折り曲げることにより全て一体に形成されていても構わない。
【００１０】
あるいは、前記連結用網部の底面連結網、前面連結網、後面連結網が、１つの網材を凹字形に折り曲げることにより一体に形成されると共に、前記篭本体部とは別体に形成されていて、凹字形に折り曲げた状態で前記篭本体部に連結されていても良い。
更には、前記連結用網部の底面連結網が、前記篭本体部の底面網と別体に形成されて前記底辺に連結され、前記前面連結網は、前記篭本体部の前面網と別体に形成されて前記前辺に連結され、前記後面連結網は、前記篭本体部の後面網と別体に形成されて前記後辺に連結されていても構わない。
【００１１】
本発明において、前記連結用網部の底面連結網、前面連結網、後面連結網の延出長は、互いに等しくてもよく、あるいは、前記連結用網部の延出長は、前記前面連結網及び後面連結網の一方側から他方側に向けて次第に小さくなっていても良い。
【００１２】
また、本発明の石詰篭の施設方法は、内部に石材が充填されている四角い石詰篭を、左右に隣接させて配置する篭配置工程、左右に隣接する石詰篭同士を、少なくとも一方の石詰篭の側端部における底辺、前辺、後辺から側方に延出する底面連結網、前面連結網、後面連結網を介して相互に連結することにより、隣接する前記石詰篭間に前記底面連結網、前面連結網、後面連結網によって中間網篭を形成する篭連結工程、前記中間網篭内に石材を充填する石詰工程、前記中間網篭の上面を蓋網で覆う蓋網取付工程を有することを特徴とするものである。
【００１３】
前記施設方法において、前記籠配置工程では、前記底面連結網、前面連結網、後面連結網が側端部から延出している前記石詰篭同士を、対応する前記連結網同士を互いに対向させて配置し、前記籠連結工程では、前記対向する連結網同士を相互に連結することにより前記中間網篭を形成し、前記蓋網取付工程では、石材が充填された前記中間網篭の上面を、隣接する石詰篭に跨る１つの蓋網で覆うようにしても良い。
【発明の効果】
【００１４】
本発明は、石材が予め充填されている石詰篭同士を、該石詰篭の側端部に設けた連結用網部を介して相互に連結するようにしたので、前記石詰篭同士を直接連結する従来の方式に比べ、連結作業を簡単かつ円滑に行うことができるだけでなく、前記石詰篭の底面同士も連結することができるので、連結強度を格段に高めることができる。
【図面の簡単な説明】
【００１５】
【図１】本発明に係る石詰篭の第１実施形態を示す斜視図である。
【図２】菱形金網の部分平面図である。
【図３】図１の石詰篭に石材を充填する前の状態を示す斜視図である。
【図４】図１の石詰篭を左右方向に複数並べて施設することにより石詰篭連結体を形成する過程を説明するための斜視図である。
【図５】本発明に係る石詰篭の第２実施形態を示す斜視図である。
【図６】本発明に係る石詰篭の第３実施形態を示す分解斜視図で、連結用網部を篭本体部から分離して示すものである。
【図７】本発明に係る石詰篭の第４実施形態を示す斜視図である。
【図８】図７の石詰篭の連結用網部を分離した状態の分解斜視図である。
【図９】図７の石詰篭を輸送する時の状態を示す斜視図である。
【図１０】図７の石詰篭を左右方向に複数並べて施設することにより石詰篭連結体を形成する過程を説明するための斜視図である。
【図１１】図５の石詰篭を左右方向に複数並べて施設することにより石詰篭連結体を形成する過程を説明するための斜視図である。
【図１２】本発明に係る石詰篭の第５実施形態を示す斜視図である。
【図１３】図１２の石詰篭で形成した石詰篭連結体の要部平面図である。
【図１４】石詰篭連結体の他の例を示す要部平面図である。
【発明を実施するための形態】
【００１６】
図１は本発明に係る石詰篭の第１実施形態を示すもので、この石詰篭１Ａは、菱形金網からなる１つの網篭４の内部に石材５を充填した篭本体部２と、該篭本体部２の左右両側端部からそれぞれ側方に延出する連結用網部３ａ，３ｂとを有している。
なお、以下の説明では、必要に応じて、前記篭本体部２の一方の側端部から延出する連結用網部３ａを「第１の連結用網部」と呼び、他方の側端部から延出する連結用網部３ｂを「第２の連結用網部」と呼ぶこととする。
【００１７】
前記菱形金網は、図２に示すように、針金を扁平螺旋状に折曲して形成した列線７の折曲部７ａを、順次係止させることにより形成されたものである。
【００１８】
前記篭本体部２の網篭４は、図３から明らかなように、矩形の底面網８と、矩形の前面網９及び後面網１０と、矩形の左側面網１１及び右側面網１２と、矩形の蓋網１３とによって、四角い箱形に形成されたもので、前記蓋網１３を開放した状態で該網篭４の内部に前記石材５を充填したあと、前記蓋網１３を閉じることにより、前記篭本体部２が形成されている。
【００１９】
なお、前記網篭４は、図示した例では、前記前面網９と後面網１０とを結ぶ前後方向長さ（前後長）Ｌｂより、前記左側面網１１と右側面網１２とを結ぶ左右方向長さ（左右長）Ｌａの方が長く形成されているが、前後長Ｌｂが左右長Ｌａより長くても、前後長Ｌｂと左右長Ｌａとが同長であっても構わない。
【００２０】
また、前記網篭４を形成する場合、前記底面網８と、前記前面網９及び後面網１０と、前記左側面網１１及び右側面網１２と、前記蓋網１３とを、別々に形成して相互に連結しても良いが、前記底面網８と前面網９と後面網１０とは、一枚の菱形金網製の網材を、列線７の向きを横向き即ち網篭４の左右方向に向けた状態にして、前記底面網８と前面網９との境界部、及び、前記底面網８と後面網１０との境界部において、凹字形に折曲することにより、一体に形成することができる。その際、折曲部である前記境界部には、針金からなる枠線１４が取り付けられる。図示した例では、前記底面網８と前面網９と後面網１０とが一枚の網材で一体に形成されている。
【００２１】
前記底面網８と、前記前面網９及び後面網１０と、前記左側面網１１及び右側面網１２と、前記蓋網１３との連結は、各面網の外周を取り囲む針金製の枠線１４同士を、針金を螺旋状に巻いて形成したスクリューストッパーのような連結金具１５で取り囲んで結束することにより、行われる。
【００２２】
前記第１の連結用網部３ａは、前記篭本体部２の一方の側端部における底辺１７ａから延出する底面連結網２０ａと、前辺１８ａから延出する前面連結網２１ａと、後辺１９ａから延出する後面連結網２２ａとを有し、前記第２の連結用網部３ｂは、前記篭本体部２の他方の側端部における底辺１７ｂから延出する底面連結網２０ｂと、前辺１８ｂから延出する前面連結網２１ｂと、後辺１９ｂから延出する後面連結網２２ｂとを有している。
【００２３】
前記底面連結網２０ａ，２０ｂは、前記篭本体部２の底面網８と一体に形成され、前記前面連結網２１ａ，２１ｂは、前記篭本体部２の前面網９と一体に形成され、前記後面連結網２２ａ，２２ｂは、前記篭本体部２の後面網１０と一体に形成されている。従って、この第１実施形態において、前記網篭４の底面網８、前面網９、及び後面網１０と、前記第１及び第２の連結用網部３ａ，３ｂの底面連結網２０ａ，２０ｂ、前面連結網２１ａ，２１ｂ、及び後面連結網２２ａ，２２ｂとは、菱形金網製の一枚の網材を凹字形に折曲することにより全て一体に形成されている。
【００２４】
前記底面網８と底面連結網２０ａ，２０ｂとの境界、前記前面網９と前面連結網２１ａ，２１ｂとの境界、前記後面網１０と後面連結網２２ａ，２２ｂとの境界には、針金からなる枠線１４がそれぞれ取り付けられ、前記各連結網２０ａ，２０ｂ，２１ａ，２１ｂ，２２ａ，２２ｂの外周端にも、同様の枠線１４が取り付けられている。
【００２５】
前記第１及び第２の連結用網部３ａ，３ｂにおける前記底面連結網２０ａ，２０ｂと前面連結網２１ａ，２１ｂと後面連結網２２ａ，２２ｂとの、前記篭本体部２から延出する延出長Ｌｃは、全て同長である。
【００２６】
また、前記連結用網部３ａ，３ｂの延出長Ｌｃと、前記篭本体部２の左右長Ｌａとの関係は、図４に示すように隣接する石詰篭１Ａ，１Ａ同士を前記連結用網部３ａ，３ｂを介して連結したとき、該連結用網部３ａ，３ｂによって形成される中間網篭２４の左右長Ｌｄが、前記篭本体部２の左右長Ｌａより小さくなるような関係であることが望ましい。具体的には、標準的な大きさの石詰篭１Ａの場合、前記連結用網部３ａ，３ｂの延出長Ｌｃが、該連結用網部３ａ，３ｂを含めた石詰篭１Ａ全体の左右長Ｌの１／２０〜４／２０の範囲内にあることが望ましく、より望ましくは、２／２０〜３／２０の範囲内にあることである。更に具体的には、前記石詰篭１Ａ全体の左右長Ｌが２０００ｍｍである場合、前記連結用網部３ａ，３ｂの好ましい延出長Ｌｃは１００〜４００ｍｍの範囲内であり、より好ましい延出長Ｌｃは２００〜３００ｍｍの範囲内である。
【００２７】
前記連結用網部３ａ，３ｂの延出長Ｌｃと石詰篭１Ａ全体の左右長Ｌとをこのような関係にすることにより、複数の石詰篭１Ａを順次連結して配置したとき、前記篭本体部２と、隣接する石詰篭１Ａ，１Ａ間に形成される前記中間網篭２４との大きさの関係を、バランスの良いものにすることができるだけでなく、隣接する石詰篭１Ａ，１Ａの連結用網部３ａ，３ｂの対応する連結網同士を連結金具１５で連結する際に、前記中間網篭２４内に該連結金具１５や工具等を挿入して連結作業を行うことができるので、篭本体部２に石材５が充填されていても、石詰篭１Ａ同士の連結を簡単且つ円滑に行うことができる。
【００２８】
前記構成を有する石詰篭１Ａは、車両等に積載されて護岸壁の構築現場や法面補強壁の構築現場などに輸送され、図４に示すようにして施設される。
【００２９】
即ち、先ず、複数の石詰篭１Ａを、隣接する石詰篭１Ａ，１Ａの連結用網部３ａと３ｂとを相互に対向させた状態で左右に並べて配置（篭配置工程）し、次に、図４中の３つの石詰篭１Ａのうちの右側２つの石詰篭１Ａ，１Ａによって示すように、隣接する石詰篭１Ａ，１Ａの相対する底面連結網２０ａ，２０ｂ同士、前面連結網２１ａ，２１ｂ同士、及び後面連結網２２ａ，２２ｂ同士を、連結金具１５で相互に連結することにより、前記隣接する石詰篭１Ａ，１Ａ同士を互いに連結すると共に、該隣接する石詰篭１Ａ，１Ａの篭本体部２，２間に、前記連結用網部３ａ，３ｂによって空の中間網篭２４を形成する（篭連結工程）。この中間網篭２４の左右長Ｌｄは、前記連結用網部３ａ，３ｂの延出長Ｌｃの実質的に２倍である。
【００３０】
前記各連結網同士の連結は、該連結網２０ａ，２０ｂ，２１ａ，２１ｂ，２２ａ，２２ｂの外周に取り付けられている枠線１４，１４同士を、スクリューストッパーからなる前記連結金具１５で結束することにより行われる。その作業は、前記連結金具１５を、螺旋に沿って回転させながら、相対する前記枠線１４，１４を取り巻くように該枠線１４，１４に沿って前進させることにより行われる。このとき、前記連結作業は、未だ石材５が充填されていない中空の前記中間網篭２４の内部で行われるため、石材の影響を受けることがなく、従って連結作業を簡単且つ円滑に行うことができる。
【００３１】
続いて、図４の左側２つの石詰篭１Ａ，１Ａで示すように、前記中間網篭２４の内部に、前記篭本体部２に充填されている石材５と同様の石材５を充填し（石詰工程）、その後、該中間網篭２４の上面に蓋網２３を取り付ける（蓋網取付工程）。
【００３２】
前記蓋網２３は、菱形金網によって矩形に形成されたもので、前記篭本体部２の前後長Ｌｂに等しい前後長Ｌｅと、前記連結用網部３ａ，３ｂの延出長Ｌｃの２倍の左右長Ｌｆとを有し、隣接する２つの石詰篭１Ａ，１Ａに跨った状態で前記中間網篭２４に取り付けられる。その取り付けは、スクリューストッパーからなる連結金具１５を使用し、前記蓋網２３の外周に取り付けられた枠線１４（図３参照）を、左右の石詰篭１Ａ，１Ａにおける篭本体部２の側端部上辺の枠線１４と、前記前面連結網２１ａ，２１ｂの上辺の枠線１４と、前記後面連結網２２ａ，２２ｂの上辺の枠線１４とに、連結することにより行われる。このとき、充填した石材５が邪魔になってスクリューストッパーを使用しにくい場合には、前記枠線１４，１４同士を針金により複数箇所で結束するようにしても良い。
【００３３】
このようにして複数の石詰篭１Ａを左右に順次連結することにより、石詰篭列が形成されるが、この石詰篭列の左右両端部には、図５に第２実施形態として示す石詰篭１Ｂが連結される。
この第２実施形態の石詰篭１Ｂは、左右何れか一方の側端部だけに、底面連結網２０、前面連結網２１、及び後面連結網２２からなる連結用網部３を有するもので、該連結用網部３が形成されていない方の側端部が前記石詰篭列の端部になるような向きで、該石詰篭列の端部に連結される。従って、この石詰篭１Ｂは、片側網部付き石詰篭とも呼ぶことができる。
【００３４】
前記片側網部付き石詰篭１Ｂは、前記連結用網部３が一方の側端部に形成されていること以外、前記第１実施形態の石詰篭１Ａと実質的に同じ構成を有するものであるが、通常、該石詰篭１Ａと同じ大きさに形成されるため、石詰篭１Ｂの篭本体部２’の左右長Ｌａ’は、前記第１実施形態の石詰篭１Ａの篭本体部２の左右長Ｌａより長く、該篭本体部２の左右長Ｌａと、一方の連結用網部３ｂの延出長Ｌｃとを足した長さ（Ｌａ＋Ｌｃ）に形成されている。しかし、この石詰篭１Ｂにおける篭本体部２’の左右長Ｌａ’は、前記第１実施形態の石詰篭１Ａの篭本体部２の左右長Ｌａと同じ長さであっても良い。
【００３５】
このようにして形成された前記石詰篭列は、隣接する石詰篭１Ａ，１Ａの前面同士及び後面同士の他、底面同士も連結されているため、連結強度が非常に大きい。
また、前記石詰篭列は、現場の状況に応じて、前後に複数列並べて配設されたり、上下に複数段段積するなどして配設され、それによって前記護岸壁や補強壁等の擁壁が形成される。
【００３６】
図６は、本発明に係る石詰篭の第３実施形態を示すもので、この第３実施形態の石詰篭１Ｃが前記第１実施形態の石詰篭１Ａと相違する点は、連結用網部３ａ，３ｂが、篭本体部２と別体に形成されて該篭本体部２に適宜の連結金具で連結されている点である。
図示した例では、前記連結用網部３ａ，３ｂの底面連結網２０ａ，２０ｂと前面連結網２１ａ，２１ｂと後面連結網２２ａ，２２ｂとが、溶接金網で一体に形成されている。この溶接金網は、針金製の縦線２６と横線２７とを格子状に配置して各交点を電気抵抗溶接により一体化したもので、一枚の溶接金網を凹字状に折曲することにより、前記連結用網部３ａ，３ｂが形成されている。この場合、中間網篭２４を覆う蓋網（不図示）も、溶接金網で形成されるが、該蓋網だけを菱形金網で形成することもできる。
【００３７】
前記篭本体部２に対する前記連結用網部３ａ，３ｂの連結は、前記篭本体部２内に石材５を充填する前に行っても、石材５を充填した後に行っても良い。また、前記連結用網部３ａ，３ｂを篭本体部２の左右両側端部のうちの何れか一方だけに連結することにより、図５に示す第２実施形態の石詰篭１Ｂと同様の、石詰篭列の端部に取り付けるための片側網部付き石詰篭を得ることができる。
【００３８】
なお、前記連結用網部３ａ，３ｂは、菱形金網で形成することもでき、その際、前記底面連結網２０ａ，２０ｂと、前面連結網２１ａ，２１ｂと、後面連結網２２ａ，２２ｂとを、一枚の菱形金網を凹字状に折曲することにより一体に形成しても、別々に形成して相互に連結しても良い。
【００３９】
図７−図１０は本発明に係る石詰篭の第４実施形態を示すもので、この第４実施形態の石詰篭１Ｄが前記第１実施形態の石詰篭１Ａと相違する点は、連結用網部３ａ，３ｂが、底面連結網２０ａ，２０ｂと、前面連結網２１ａ，２１ｂと、後面連結網２２ａ，２２ｂと、蓋網２３ａ，２３ｂとを有していて、これら底面連結網２０ａ，２０ｂと前面連結網２１ａ，２１ｂと後面連結網２２ａ，２２ｂと蓋網２３ａ，２３ｂとが、互いに別体に形成されると共に、篭本体部２とも別体に形成され、前記篭本体部２に個々に連結されているという点である。
【００４０】
即ち、前記底面連結網２０ａ，２０ｂは、前記篭本体部２の側端部の底辺１７ａ，１７ｂにそれぞれ起倒自在に連結され、前記前面連結網２１ａ，２１ｂは、同じく前辺１８ａ，１８ｂにそれぞれ起倒自在に連結され、前記後面連結網２２ａ，２２ｂは、同じく後辺１９ａ，１９ｂにそれぞれ起倒自在に連結され、前記蓋網２３ａ，２３ｂは、同じく上辺１６ａ，１６ｂにそれぞれ起倒自在に連結されている。
【００４１】
従って、前記底面連結網２０ａ，２０ｂと、前面連結網２１ａ，２１ｂと、後面連結網２２ａ，２２ｂと、蓋網２３ａ，２３ｂとは、お互い同士連結されていない。また、前記蓋網２３ａ，２３ｂが篭本体部２の上辺から側方に延出する延出長は、その他の底面連結網２０ａ，２０ｂ、前面連結網２１ａ，２１ｂ、及び後面連結網２２ａ，２２ｂの延出長と同長である。
【００４２】
なお、前記底面連結網２０ａ，２０ｂと、前面連結網２１ａ，２１ｂと、後面連結網２２ａ，２２ｂと、蓋網２３ａ，２３ｂとは、何れも菱形金網で形成されているが、その他の金網、例えば溶接金網で形成することもできる。
【００４３】
前記石詰篭１Ｄは、図９に示すように、前記底面連結網２０ａ，２０ｂと、前面連結網２１ａ，２１ｂと、後面連結網２２ａ，２２ｂと、蓋網２３ａ，２３ｂとを、篭本体部２の左右の側面網１１，１２上に折り重ねることによりコンパクト化した状態で現場に輸送した後、図１０に示すように、折り畳んだ前記底面連結網２０ａ，２０ｂと前面連結網２１ａ，２１ｂと後面連結網２２ａ，２２ｂと蓋網２３ａ，２３ｂとを広げ、左右に並べて配置したあと、隣接する石詰篭１Ｄ，１Ｄ同士を連結する。
【００４４】
その連結では、先ず、図１０中の左端の石詰篭１Ｄの左側端部の連結用網部３ａについて示すように、蓋網２３ａを開放した状態で、前記底面連結網２０ａと前面連結網２１ａと後面連結網２２ａとの相接する辺の枠線１４，１４同士を連結金具１５で連結する。
続いて、同図中の右側２つの石詰篭１Ｄ，１Ｄによって示すように、隣接する石詰篭１Ｄ，１Ｄの、相対する底面連結網２０ａ，２０ｂ同士、前面連結網２１ａ，２１ｂ同士、及び後面連結網２２ａ，２２ｂ同士を、それぞれ連結金具１５で枠線１４を結束して連結することにより、前記隣接する石詰篭１Ｄ，１Ｄ同士を互いに連結すると共に、該隣接する石詰篭１Ｄ，１Ｄの篭本体部２，２間に、前記連結用網部３ａ，３ｂによって空の中間網篭２４を形成する。
【００４５】
そして、前記中間網篭２４の内部に石材５を充填した後、図１０の左側２つの石詰篭によって示すように、前記蓋網２３ａ，２３ｂを倒して前記中間網篭２４の上面を覆った後、相対する蓋網２３ａ，２３ｂの先端の枠線１４，１４同士を連結金具１５で相互に連結すると共に、該蓋網２３ａ，２３ｂの前端と前面連結網２１ａ，２１ｂの上端との枠線１４，１４同士、及び、該蓋網２３ａ，２３ｂの後端と後面連結網２２ａ，２２ｂの上端との枠線１４，１４同士を、連結金具１５で相互に連結する。
これによって石詰篭連結体が形成される。このとき前記石詰篭連結体の左右両側端部には、図１０の右側端の石詰篭１Ｄ’のように、前記連結用網部を篭本体部２の一方の側端部だけに設けた石詰篭（片側網部付き石詰篭）が連結される。
【００４６】
なお、この第４実施形態において、前記蓋網２３ａ，２３ｂを前記篭本体部２に予め連結しておくことをせずに、図４に示す場合と同様、中間網篭２４内に石材５を充填した後に該中間網篭２４に取り付けるようにすることもできる。この場合、該蓋網２３ａ，２３ｂの左右長は、図７に示すように、他の底面連結網２０ａ，２０ｂ、前面連結網２１ａ，２１ｂ、及び後面連結網２２ａ，２２ｂの延出長と同長であっても良いが、図４における蓋網２３のように、前記中間網篭２４全体を覆う長さであっても良い。
【００４７】
図１１には、図５の第２実施形態に示す石詰篭１Ｂ、即ち、一方の側端部だけに連結用網部３を有する片側網部付き石詰篭１Ｂだけを使用して石詰篭連結体を形成する施設例が示されている。
この施設例では、複数の石詰篭１Ｂを、左右同じ向きにして順次配置することにより、連結用網部３の底面連結網２０、前面連結網２１、及び後面連結網２２を、隣接する石詰篭１Ｂの該連結用網部３が形成されていない側端部に当接させ、該側端部に連結金具１５で連結する。
【００４８】
次に、前記底面連結網２０、前面連結網２１、及び後面連結網ａで形成された中間網篭２４の内部に石材５を充填した後、該中間網篭２４の上面を蓋網２３で塞ぐようにし、これにより、石詰篭連結体が形成される。
なお、図１１に示す石詰篭連結体の左端のように、前記連結用網部３が延出する端部には、このような連結用網部３が左右両側端部に形成されていない通常の石詰篭が連結される。
【００４９】
また、図１１で使用する前記石詰篭１Ｂの連結用網部３における底面連結網２０、前面連結網２１、及び後面連結網２２は、それぞれ菱形金網により形成されていて、篭本体部２’の底面網、前面網、及び後面網とそれぞれ一体且つ互いに一体に形成されているが、第４実施形態の石詰篭１Ｄのように、篭本体部の底面網、前面網、及び後面網とそれぞれ別体且つ互いに別体に形成されて前記篭本体部に連結されていても良く、あるいは、第３実施形態の石詰篭１Ｃのように、溶接金網で形成されていても良い。
【００５０】
図１２は本発明に係る石詰篭の第５実施形態を示すもので、この第５実施形態の石詰篭１Ｅが前記各実施形態の石詰篭と相違する点は、連結用網部３ａ，３ｂの延出長Ｌｃが一定ではなく、後面連結網２２ａ，２２ｂ側から前面連結網２１ａ，２１ｂ側に向けて該延出長Ｌｃが次第に小さくなっている点である。この場合、前記連結用網部３ａ，３ｂの延出長Ｌｃとは、最長部分のことであり、また、石詰篭１Ｅの左右長Ｌとは、前記延出長Ｌｃに対応する部分のことである。
この石詰篭１Ｅの前記以外の構成及び変形例は、前述した他の実施形態の石詰篭と実質的に同じであるので、便宜的に、第１実施形態の石詰篭１Ａとの主要な同一構成部分に該第１実施形態石詰篭１Ａと同じ符号を付し、構成の説明は省略する。
【００５１】
前記石詰篭１Ｅは、図１３に示すように、湾曲する地形に沿って湾曲する石詰篭連結体を設置する場合に適している。
なお、図１３の場合と逆向きに湾曲する石詰篭連結体を形成する場合は、前記石詰篭１Ｅを前後逆向きにして使用すれば良い。即ち、連結用網部３ａ，３ｂの延出長Ｌｃが、前面連結網２１ａ，２１ｂ側から後面連結網２２ａ，２２ｂ側に向けて次第に小さくなっている石詰篭を使用すれば良い。
また、中間網篭２４の上面を覆う蓋網は、図１３の右半部に示すように、連結用網部３ａ，３ｂ毎の個別の蓋網２３ａ，２３ｂを使用することもできるが、図１３の左半部に示すように、１枚の蓋網２３を使用することもできる。
【００５２】
湾曲する地形に沿って湾曲する石詰篭連結体は、図１に示す第１実施形態の石詰篭１Ａや、図６に示す第３実施形態の石詰篭１Ｃ、図７に示す第４実施形態の石詰篭１Ｄによっても形成することができる。
即ち、図１４に第１実施形態の石詰篭１Ａを用いて形成した石詰篭連結体について代表的に示すように、隣接する石詰篭１Ａ，１Ａの連結用網部３ａと３ｂとを、後面連結網２２ａ，２２ｂ側から前面連結網２１ａ，２１ｂ側に向けて重複度が次第に大きくなうように重複させ、対応する連結網同士を連結金具１５で相互に連結することにより、前記石詰篭連結体が形成される。これにより形成された中間網篭２４内には、不図示の石材が充填され、適宜蓋網が取り付けられる。
【００５３】
前記石詰篭連結体の湾曲方向を図１４の場合と逆向きにする場合は、前記連結用網部３ａと３ｂとを、前面連結網２１ａ，２１ｂ側から後面連結網２２ａ，２２ｂ側に向けて重複度が次第に大きくなるように重複させれば良い。
【００５４】
前記各実施形態では、中間網篭２４の上面に蓋網２３，２３ａ，２３ｂが取り付けられるようになっているが、該蓋網は省略することもできる。
【符号の説明】
【００５５】
１Ａ，１Ｂ，１Ｃ，１Ｄ，１Ｄ’，１Ｅ      石詰篭
２，２’      篭本体部
３，３ａ，３ｂ      連結用網部
４      網篭
５      石材
８      底面網
９      前面網
１０      後面網
１６ａ，１６ｂ      上辺
１７ａ，１７ｂ      底辺
１８ａ，１８ｂ      前辺
１９ａ，１９ｂ      後辺
２０，２０ａ，２０ｂ      底面連結網
２１，２１ａ，２１ｂ      前面連結網
２２，２２ａ，２２ｂ      後面連結網
２３，２３ａ，２３ｂ      蓋網
２４      中間網篭
Ｌ      石詰篭の左右長
Ｌａ      篭本体部の左右長
Ｌｃ      連結用網部の延出長
Ｌｄ      中間網篭の左右長
【図１】
2017008500.tif 000003
【図２】
2017008500.tif 000004
【図３】
2017008500.tif 000005
【図４】
2017008500.tif 000006
【図５】
2017008500.tif 000007
【図６】
2017008500.tif 000008
【図７】
2017008500.tif 000009
【図８】
2017008500.tif 000010
【図９】
2017008500.tif 000011
【図１０】
2017008500.tif 000012
【図１１】
2017008500.tif 000013
【図１２】
2017008500.tif 000014
【図１３】
2017008500.tif 000015
【図１４】
2017008500.tif 000016
【手続補正書】
【提出日】平成28年10月26日(2016.10.26)
【手続補正１】
【補正対象書類名】特許請求の範囲
【補正対象項目名】請求項１１
【補正方法】変更
【補正の内容】
【請求項１１】
前記篭配置工程では、前記底面連結網、前面連結網、後面連結網が側端部から延出している前記石詰篭同士を、対応する前記連結網同士を互いに対向させて配置し、
前記篭連結工程では、前記対向する連結網同士を相互に連結することにより前記中間網篭を形成し、
前記蓋網取付工程では、石材が充填された前記中間網篭の上面を、隣接する石詰篭に跨る１つの蓋網で覆う、
ことを特徴とする請求項１０に記載の石詰篭の施設方法。
【手続補正２】
【補正対象書類名】明細書
【補正対象項目名】００１３
【補正方法】変更
【補正の内容】
【００１３】
前記施設方法において、前記篭配置工程では、前記底面連結網、前面連結網、後面連結網が側端部から延出している前記石詰篭同士を、対応する前記連結網同士を互いに対向させて配置し、前記篭連結工程では、前記対向する連結網同士を相互に連結することにより前記中間網篭を形成し、前記蓋網取付工程では、石材が充填された前記中間網篭の上面を、隣接する石詰篭に跨る１つの蓋網で覆うようにしても良い。